(57)【特許請求の範囲】
【請求項１】
便所室の壁部の所定高さ位置の室外側の収納空間にとりつけられる小便装置は、小便器本体と該小便器本体に上下方向に複数個とりつけられる放尿受部と、前記各放尿受部の上方に小便器本体ならびに放尿受部を洗浄する洗浄水の流入装置を備えており、小便器本体は便所室の壁部にとりつけられる前面部と、左右側面部と、背側面部と、下側面部と、前記放尿受部ならびに流入装置の収納空間を形成しており、さらに小便器本体は前記下側面部に洗浄水ならびに放尿の流出口を形成しており、さらに前記放尿受部は前面部と左右側面部と上方に放尿受口と下方に放尿流出口を形成しており、かつ小便器本体の前面部の中央開口部より便所室内側に出入り可能に形成して中央開口部を開放、閉塞するように形成されており、さらに上方に位置する放尿受部の放尿流出口からの放尿は、下方に位置する放尿受部の放尿受口に流出するように形成されており、さらに前記各放尿受部の上方にとりつけられている洗浄水の流入装置は小便器本体の周側面部に又は適宜側面部に形成されていることを特徴とする小便装置。
【請求項２】
各放尿受部の上方にとりつけられている洗浄水の流入装置は、小便器本体ならびに放尿受部を洗浄する方向に流入孔を有するパイプ材で形成されており、前記上下のパイプ材は連結パイプで通水可能に連結されていることを特徴とする請求項１記載の小便装置。
【請求項３】
各放尿受部は水平軸を介して所定角度回転可能であり、小便器本体の前面部の中央開口部より便所室内側に出入り可能に形成して、中央開口部を開放、閉塞するように形成されていることを特徴とする請求項１または請求項２記載の小便装置。
【請求項４】
請求項１から請求項３のいずれかに記載の小便装置を備えており、該小便装置は複数個のいずれかの放尿受部を便所室内側に開放後に閉塞して小便器本体の収納空間に収納した状態で、所定時間流入装置から洗浄水が流入して小便器本体並びに放尿受部を洗浄して排出パイプから排出するように形成されていることを特徴とする小便装置。
【発明の詳細な説明】
【技術分野】
【０００１】本発明は一般家庭、学校、病院、ホテル、駅舎その他公共の施設等において使用できる男性用の小便装置に関する。
【背景技術】
【０００２】従来一般家庭や上記公共施設等において男性が小便の際に起立状態で使用する男性用小便装置は公知である。たとえば特許第５４１１２３４号公報として開示されている。
【発明の概要】
【発明が解決しようとする課題】
【０００３】上記従来の小便装置は公報に記載の特徴を備えているが、小便装置の放尿受部が１個であり、長身の大人と短身の小人が共用しているので、放尿受部のとりつける位置が高すぎれば踏み台が必要となり、低くすれば大人が使用の際男性器の位置より放尿受部の位置が相当低くなるので、ややもすれば放尿が放尿受部に入らずに、周囲に漏れると言う問題点があった。
【課題を解決するための手段】
【０００４】本発明はつぎの特徴を備えている。
その一は「便所室の壁部の所定高さ位置の室外側の収納空間にとりつけられる小便装置は、小便器本体と該小便器本体に上下方向に複数個とりつけられる放尿受部と、前記各放尿受部の上方に小便器本体ならびに放尿受部を洗浄する洗浄水の流入装置を備えており、小便器本体は便所室の壁部にとりつけられる前面部と、左右側面部と、背側面部と、下側面部と、前記放尿受部ならびに流入装置の収納空間を形成しており、さらに小便器本体は前記下側面部に洗浄水ならびに放尿の流出口を形成しており、さらに前記放尿受部は前面部と左右側面部と上方に放尿受口と下方に放尿流出口を形成しており、かつ小便器本体の前面部の中央開口部より便所室内側に出入り可能に形成して中央開口部を開放、閉塞するように形成されており、さらに上方に位置する放尿受部の放尿流出口からの放尿は、下方に位置する放尿受部の放尿受口に流出するように形成されていることを特徴とする小便装置」である。【０００５】その二は「上記その一の構成において、各放尿受部の上方にとりつけられている洗浄水の流入装置は小便器本体の周側面部に又は適宜側面部に形成されていることを特徴とする小便装置」である。【０００６】その三は「上記その一、その二の各構成において、各放尿受部の上方にとりつけられている洗浄水の流入装置は、小便器本体ならびに放尿受部を洗浄する方向に流入孔を有するパイプ材で形成されており、前記上下のパイプ材は連結パイプで通水可能に連結されていることを特徴とする小便装置」である。【０００７】その四は「上記その一、その二、その三のそれぞれの構成において、各放尿受部は水平軸を介して所定角度回転可能であり、小便器本体の前面部の中央開口部より便所室内側に出入り可能に形成して、中央開口部を開放、閉塞するように形成されていることを特徴とする小便装置」である。【０００８】その五は「上記その一からその四の各構成において、複数個のいずれかの放尿受部を便所室内側に開放後に閉塞して小便器本体の収納空間に収納した状態で、所定時間流入装置から洗浄水が流入して小便器本体並びに放尿受部を洗浄して排出パイプから排出するように形成されていることを特徴とする小便装置」である。
【発明の効果】
【０００９】本発明の小便装置は小便器本体に上下方向に複数個の、言わば２個ないし３個の放尿受部を備えており、各放尿受部の上方に小便器本体ならびに放尿受部を洗浄する洗浄水の流入装置を備えているので、大人や小人など身長に、つまり男性器の高さ位置に対応した放尿受部を使用でき、小人は踏み台を使わずに放尿できる。また大人は上方の放尿受部を使用すれば男性器の位置が放尿受口に近いので、放尿方向がずれることなく正しく放尿でき周囲に漏れることがない。【００１０】しかして各放尿受部の上方に備えている洗浄水の流入装置一例として流入パイプから放尿受部ならびに小便器本体に所定時間洗浄水を流入して、流出口から排水パイプに排出される。よって小便器本体ならびに放尿受部は常に洗浄されるので清潔さを保持できる。しかもセンサー、タイマー、リミットスイッチその他公知の感知手段の使用による所定時間の洗浄により無駄に洗浄水を使うこともなく効率的である。
【図面の簡単な説明】
【００１１】
【図１】本発明小便装置の一実施例を示す概略斜視図
【図２】本発明小便装置の上方の放尿受部を開放した取付状態を示す概略断面説明図
【図３】本発明小便装置の放尿受部を閉塞した取付状態を示す概略断面説明図
【図４】本発明小便装置の洗浄水の流入装置の一実施例を示し、Ａは概略平面図、Ｂは上下の流入装置の連結状態の略図
【発明を実施するための形態】
【００１２】本発明の実施形態を図面を用いて説明する。
図１から図４において、１は小便装置で、便所室４の壁部４ａの所定高さ位置の室外側の収納空間４ｂにとりつけられる。該装置は小便器本体２と、該小便器本体に上下方向に複数個、図面では２個とりつけられる放尿受部３と、各放尿受部の上方に小便器本体ならびに放尿受部を洗浄する洗浄水の流入装置を備えている。
【００１３】小便器本体２は便所室の壁部にビスなどの止具を介してとりつけられる前面部２ａと、左右の側面部２ｂと、背側面部２ｃと、下側面部２ｄと、前記放尿受部ならびに流入装置の収納空間２ｅを形成しており、さらに上方に上面蓋２ｆと、下側面部に洗浄水ならびに放尿の流出口２ｇを一体的に形成している。２ｈは下側面部に載置している異物取りネットである。異物の排水パイプへの流れを阻止する。
【００１４】さらに小便器本体にとりつけられる放尿受部３は小便器本体の前面部２ａの中央開口部２ａ１より便所室内側に出入り可能に形成して、中央開口部２ａ１を開放、閉塞するように形成している。図示では放尿受部３は上方の放尿受口３ａと前面部３ｂ、３ｂ１と左右側面部３ｃと、背側面部３ｄとこれらの下方をテーパ状に縮小して放尿流出口３ｅを一体的に形成している。しかして左右側面部側にとりつけている水平回転軸３ｆを介して所定角度回転可能であり小便器本体の前面部２ａの中央開口部２ａ１より便所室内側に出入り可能に形成して中央開口部を開放、閉塞状態を保持するように形成している。３ｂ２は取付部材、３ｂ３は把手である。前面部３ｂと３ｂ１は両側にとりつけている取付部材３ｂ２で下方で連結し、上方は長手方向に一体的に連結している。不図示であるが放尿受部は小便器本体に係合支持されて開放、閉塞状態を保持している。保持手段はもろもろ公知である。
図面では放尿受部に背側面部３ｄを形成しているが、これを設けずして放尿の一部の量が小便器本体の収納空間２ｅに放出してもよい。３ｇは異物取りネットで、放尿流出口の上部に取り付けている。異物の放尿流出口から下方への進入を阻止する。
【００１５】図２において、８は男性で、放尿状態の使用例を示している。上方の放尿受部３が便所室内側に開放され、男性器８ａからの放尿８ｂが、放尿受口３ａに放出され、放尿流出口３ｅから下方に位置する放尿受部の放尿受口に流出し、流出口３ｅから小便器本体の流出口２ｇを流れ、排出パイプ６に流出する。不図示であるが、排水トラップを従来同様排水パイプの適宜箇所に形成することは論ずるまでもない。
【００１６】図４Ａ、Ｂに基づいて説明する。５は洗浄水の流入装置である。該装置は小便器本体の周側面部（前面部、両側面部、背側面部）または適宜側面部の各放尿受部の上方にとりつけられている。
しかして該流入装置は小便器本体ならびに放尿受部を洗浄する方向に流入孔５ａ１を有するパイプ材５ａで形成されている。前記上下のパイプ材は連結パイプ５ａ２で通水可能に連結されている。流入孔の構成は自在であり、洗浄水の流入は霧状，噴射状、シャワー状など洗浄効率の良い流入形態を採用すればよい。
【００１７】さらに本発明の小便装置においては、放尿受部を便所室内側に開放後に閉塞して小便器本体の収納空間に収納した状態、図３の状態で所定時間洗浄水の流入装置（流入パイプ）から洗浄水が小便器本体並びに放尿受部に流入して、これらの壁面を洗浄して放尿流出口３ｅ並びに流出口２ｇから排出パイプ６に排出される。
この実施例では上下の流入装置が連結パイプ５ａ３で通水可能になっているので、上下両方の流入装置から洗浄水が流入されている。
【００１８】下方の放尿受部を使用する場合でも放尿受部を収納空間に収納した状態で、前記同様流入装置から洗浄水が所定時間流入して、小便器本体ならびに放尿受部を洗浄する。
上記実施例では上下方向２個の放尿受部をとりつけているが、必要あらば３個又はそれ以上の取り付けも可能である。
放尿受部を上下方向にとりつける間隔は放尿受口の高さ位置を、使用する人の身長などを考慮して適宜設定すればよい。
【００１９】なお小便装置内に所定時間洗浄水を流入する手段は従来公知であり、センサー、タイマー、リミットスイッチ等その他の感知手段の設置により適宜採択すればよく、当業者であれば容易に理解することである。
したがって本発明においては、放尿受部を開放と同時に洗浄水が小便器本体内に流入し、放尿後に停止するような設計でもよい。あるいは前記説明のように放尿して放尿受部を閉塞した状態で所定時間流入する方法などでもよい。要は小便装置の内面が洗浄されて衛生的であり、さらに洗浄水の使用量を節減できればエコー効果がある。
【００２０】以上本発明の実施例について説明しているが、本発明の技術思想を逸脱しない範囲の設計変更は可能である。
たとえば前記実施例では上下の流入装置は連結パイプで連結して洗浄水が通水するように構成しているので、上下いずれの放尿受部が使用されても上下の洗浄水の流入装置から洗浄水が流入するが、連結パイプを使わずして上下の流入装置が個々に作動するように設計してもよい。
【符号の説明】
【００２１】１        小便装置
２        小便器本体
２ａ      前面部
２ａ１    中央開口部
２ｂ      側面部
２ｃ      背側面部
２ｄ      下側面部
２ｅ      収納空間
２ｆ      上面蓋部
２ｇ      流出口
２ｈ      異物取りネット
３        放尿受部
３ａ      放尿受口
３ｂ      前面部
３ｂ１    前面部
３ｂ２    取付部材
３ｂ３    把手
３ｃ      側面部
３ｄ      背側面部
３ｅ      放尿流出口
３ｆ      水平回転軸
３ｇ      異物取りネット
４        便所室
４ａ      壁部
４ｂ      収納空間
５        洗浄水の流入装置
５ａ      パイプ材
５ａ１    流入孔
５ａ２    連結管
５ａ３    連結パイプ
６        排出パイプ
７        洗浄水ホース
８        男性
８ａ      男性器
８ｂ      放尿
【要約】      （修正有）【課題】大人小人が使用できる男性用の小便装置を提供する。【解決手段】小便装置１は、小便器本体２と小便器本体に上下方向に複数個とりつけられる放尿受部３と、各放尿受部の上方に小便器本体ならびに放尿受部を洗浄する洗浄水の流入装置５を備えており、小便器本体は、前面部２ａと左右側面部２ｂと背側面部２ｃと下側面部２ｄとで、放尿受部ならびに流入装置の収納空間２ｅを形成し、さらに下側面部に洗浄水ならびに放尿の流出口２ｇを形成しており、放尿受部は、前面部３ｂと左右側面部３ｃと背側面部３ｄとで、上方に放尿受口３ａと下方に放尿流出口３ｅとを形成し、かつ小便器本体の前面部の中央開口部２ａ１より便所室内側に出入り可能に形成して、中央開口部を開放、閉塞するように形成されており、さらに上方に位置する放尿受部の放尿流出口からの放尿は、下方に位置する放尿受部の放尿受口に流出するように形成されている。【選択図】図２【図１】
0005848416.tif 000002
【図４】
0005848416.tif 000003
【図２】
0005848416.tif 000004
【図３】
0005848416.tif 000005